(57)【要約】【課題】熱やサイズバラつきの影響を受けずに、表示モジュールをフロントキャビネットに固定する。【解決手段】フロントキャビネット１０の各長辺部には、フロントキャビネット１０のコーナー部分を除く位置に、表示モジュールに向けて突出するリブ部１３Ｂが設けられ、フロントキャビネット１０の各短辺部には、フロントキャビネット１０のコーナー部分を除く位置に、表示モジュールに向けて突出するリブ部１３Ａが設けられ、表示モジュールには、各リブ部１３Ｂと対向する位置に、当該リブ部１３Ｂのフロントキャビネット１０の長辺方向への移動を規制する孔１１Ａが設けられ、各リブ部１３Ａと対向する位置に、当該リブ部１３Ａのフロントキャビネット１０の短辺方向への移動を規制する孔１１Ａが設けられている。【選択図】図３
2014186053.tif 000002
【特許請求の範囲】
【請求項１】
表示パネルを含む表示モジュールと、
前記表示モジュールの外周部を前記表示モジュールの正面側から覆うフロントキャビネットとを備え、
前記フロントキャビネットの各長辺部には、前記フロントキャビネットのコーナー部分を除く位置に、前記表示モジュールに向けて突出する第１突出部が設けられ、
前記フロントキャビネットの各短辺部には、前記フロントキャビネットのコーナー部分を除く位置に、前記表示モジュールに向けて突出する第２突出部が設けられ、
前記表示モジュールには、各前記第１突出部と対向する位置に、当該第１突出部の前記フロントキャビネットの長辺方向への移動を規制する第１規制部が設けられ、各前記第２突出部と対向する位置に、当該第２突出部の前記フロントキャビネットの短辺方向への移動を規制する第２規制部が設けられている
表示装置。
【請求項２】
前記第１突出部は、第１リブ部を有し、
前記第１規制部には、前記第１リブ部が嵌め合わせられる第１孔であって、前記第１リブ部の前記長辺方向への移動を規制し、前記第１リブ部に前記短辺方向の遊びを与える大きさの前記第１孔が形成されている
請求項１に記載の表示装置。
【請求項３】
前記第２突出部は、第２リブ部を有し、
前記第２規制部には、前記第２リブ部が嵌め合わせられる第２孔であって、前記第２リブ部の前記短辺方向への移動を規制し、前記第２リブ部に前記長辺方向の遊びを与える大きさの前記第２孔が形成されている
請求項１又は２に記載の表示装置。
【請求項４】
前記第１突出部は、第１リブ部を有し、
前記第１規制部には、前記第１リブ部が嵌め合わせられる第１凹部であって、前記第１リブ部の前記長辺方向への移動を規制し、前記第１リブ部に前記短辺方向の遊びを与える大きさの前記第１凹部が形成されている
請求項１に記載の表示装置。
【請求項５】
前記第２突出部は、第２リブ部を有し、
前記第２規制部には、前記第２リブ部が嵌め合わせられる第２凹部であって、前記第２リブ部の前記短辺方向への移動を規制し、前記第２リブ部に前記長辺方向の遊びを与える大きさの前記第２凹部が形成されている
請求項１又は４に記載の表示装置。
【請求項６】
前記第１突出部は、第１凹部を有し、
前記第１規制部には、前記第１凹部に嵌め合わされる第１リブ部であって、前記第１凹部の前記長辺方向への移動を規制し、前記第１凹部に前記短辺方向の遊びを与える大きさの前記第１リブ部が形成されている
請求項１に記載の表示装置。
【請求項７】
前記第２突出部は、第２凹部を有し、
前記第２規制部には、前記第２凹部に嵌め合わされる第２リブ部であって、前記第２凹部の前記短辺方向への移動を規制し、前記第２凹部に前記長辺方向の遊びを与える大きさの前記第２リブ部が形成されている
請求項１又は６に記載の表示装置。
【請求項８】
各前記第１突出部は、各前記長辺部の端部から同一距離の位置に設けられており、
各前記第２突出部は、各前記短辺部の端部から同一距離の位置に設けられている
請求項１〜７のいずれか１項に記載の表示装置。
【請求項９】
各前記第１突出部は、各前記長辺部の長手方向の中心の位置に設けられており、
各前記第２突出部は、各前記短辺部の長手方向の中心の位置に設けられている
請求項８に記載の表示装置。
【発明の詳細な説明】
【技術分野】
【０００１】
本発明は、画像を表示するための表示装置に関する。
【背景技術】
【０００２】
従来、液晶テレビジョン受像機等のように、表示パネルに画像を表示する表示装置が知られている（例えば、特許文献１参照）。
【０００３】
従来の表示装置では、表示パネルを含む表示モジュールとフロントキャビネットとを固定することにより、表示モジュールとフロントキャビネットとの位置ずれを防止している。このような位置ずれを防止することにより、いわゆる画面切れの課題を解決することができる。ここで画面切れとは、表示パネルとフロントキャビネットとの位置関係がずれることにより、表示パネルの端部がフロントキャビネットに隠れて、当該端部に表示される画像が見えなくなる現象である。
【先行技術文献】
【特許文献】
【０００４】
【特許文献１】特開２０００−１８１３７１号公報
【発明の概要】
【発明が解決しようとする課題】
【０００５】
しかしながら、特許文献１では、フロントキャビネットのコーナー部分においてフロントキャビネットと表示モジュールとをネジ留めしている。このため、フロントキャビネット又は表示モジュールが熱で膨張したり収縮したりした場合には、ネジの部分に過大な力がかかり、ネジやネジ周辺のフロントキャビネット又は表示モジュールが破壊されてしまうという課題がある。また、フロントキャビネット又は表示モジュールのサイズのバラつきによっても、これらに過大な力がかかる場合がある。
【０００６】
本発明は、上述の課題を解決するためになされたものであり、熱やサイズバラつきの影響を受けずに、表示モジュールをフロントキャビネットに固定することができる表示装置を提供することを目的とする。
【課題を解決するための手段】
【０００７】
上記目的を達成するために、本発明の一態様に係る表示装置は、表示パネルを含む表示モジュールと、前記表示モジュールの外周部を前記表示モジュールの正面側から覆うフロントキャビネットとを備え、前記フロントキャビネットの各長辺部には、前記フロントキャビネットのコーナー部分を除く位置に、前記表示モジュールに向けて突出する第１突出部が設けられ、前記フロントキャビネットの各短辺部には、前記フロントキャビネットのコーナー部分を除く位置に、前記表示モジュールに向けて突出する第２突出部が設けられ、前記表示モジュールには、各前記第１突出部と対向する位置に、当該第１突出部の前記フロントキャビネットの長辺方向への移動を規制する第１規制部が設けられ、各前記第２突出部と対向する位置に、当該第２突出部の前記フロントキャビネットの短辺方向への移動を規制する第２規制部が設けられている。
【０００８】
この構成によると、フロントキャビネットのコーナー部分を除く位置で、表示モジュールのフロントキャビネットに対する移動が規制される。フロントキャビネット又は表示モジュールが熱により膨張又は収縮したとしても、突出部からコーナー部に向けてこれらが膨張又は収縮するため、第１突出部付近及び第２突出部付近では、膨張又は収縮の影響を受けにくい。同様にサイズバラつきの影響も受けにくい。よって、熱やサイズバラつきの影響を受けずに、表示モジュールをフロントキャビネットに固定することができる。
【０００９】
例えば、前記第１突出部は、第１リブ部を有し、前記第１規制部には、前記第１リブ部が嵌め合わせられる第１孔であって、前記第１リブ部の前記長辺方向への移動を規制し、前記第１リブ部に前記短辺方向の遊びを与える大きさの前記第１孔が形成されていてもよい。
【００１０】
この構成によると、フロントキャビネットの長辺部に設けられた第１リブ部において長辺方向への移動が規制されるが、短辺方向への移動は規制されない。このため、フロントキャビネット又は表示モジュールが短辺方向に膨張又は収縮したり、短辺方向にサイズがばらついたりしたとしても、第１リブ部に過大な力はかからない。
【００１１】
また、前記第２突出部は、第２リブ部を有し、前記第２規制部には、前記第２リブ部が嵌め合わせられる第２孔であって、前記第２リブ部の前記短辺方向への移動を規制し、前記第２リブ部に前記長辺方向の遊びを与える大きさの前記第２孔が形成されていてもよい。
【００１２】
この構成によると、フロントキャビネットの短辺部に設けられた第２リブ部において短辺方向への移動が規制されるが、長辺方向への移動は規制されない。このため、フロントキャビネット又は表示モジュールが長辺方向に膨張又は収縮したり、長辺方向にサイズがばらついたりしたとしても、第２リブ部に過大な力はかからない。
【００１３】
また、前記第１突出部は、第１リブ部を有し、前記第１規制部には、前記第１リブ部が嵌め合わせられる第１凹部であって、前記第１リブ部の前記長辺方向への移動を規制し、前記第１リブ部に前記短辺方向の遊びを与える大きさの前記第１凹部が形成されていてもよい。
【００１４】
この構成によると、フロントキャビネットの長辺部に設けられた第１リブ部において長辺方向への移動が規制されるが、短辺方向への移動は規制されない。このため、フロントキャビネット又は表示モジュールが短辺方向に膨張又は収縮したり、短辺方向にサイズがばらついたりしたとしても、第１リブ部に過大な力はかからない。
【００１５】
また、前記第２突出部は、第２リブ部を有し、前記第２規制部には、前記第２リブ部が嵌め合わせられる第２凹部であって、前記第２リブ部の前記短辺方向への移動を規制し、前記第２リブ部に前記長辺方向の遊びを与える大きさの前記第２凹部が形成されていてもよい。
【００１６】
この構成によると、フロントキャビネットの短辺部に設けられた第２リブ部において短辺方向への移動が規制されるが、長辺方向への移動は規制されない。このため、フロントキャビネット又は表示モジュールが長辺方向に膨張又は収縮したり、長辺方向にサイズがばらついたりしたとしても、第２リブ部に過大な力はかからない。
【００１７】
また、前記第１突出部は、第１凹部を有し、前記第１規制部には、前記第１凹部に嵌め合わされる第１リブ部であって、前記第１凹部の前記長辺方向への移動を規制し、前記第１凹部に前記短辺方向の遊びを与える大きさの前記第１リブ部が形成されていてもよい。
【００１８】
この構成によると、フロントキャビネットの長辺部に設けられた第１凹部において長辺方向への移動が規制されるが、短辺方向への移動は規制されない。このため、フロントキャビネット又は表示モジュールが短辺方向に膨張又は収縮したり、短辺方向にサイズがばらついたりしたとしても、第１凹部に過大な力はかからない。
【００１９】
また、前記第２突出部は、第２凹部を有し、前記第２規制部には、前記第２凹部に嵌め合わされる第２リブ部であって、前記第２凹部の前記短辺方向への移動を規制し、前記第２凹部に前記長辺方向の遊びを与える大きさの前記第２リブ部が形成されていてもよい。
【００２０】
この構成によると、フロントキャビネットの短辺部に設けられた第２凹部において短辺方向への移動が規制されるが、長辺方向への移動は規制されない。このため、フロントキャビネット又は表示モジュールが長辺方向に膨張又は収縮したり、長辺方向にサイズがばらついたりしたとしても、第２凹部に過大な力はかからない。
【００２１】
また、各前記第１突出部は、各前記長辺部の端部から同一距離の位置に設けられており、各前記第２突出部は、各前記短辺部の端部から同一距離の位置に設けられていてもよい。
【００２２】
この構成によると、各突出部に力がかかる場合、２つの第１突出部に均等に力がかかり、２つの第２突出部に均等に力がかかる。
【００２３】
また、各前記第１突出部は、各前記長辺部の長手方向の中心の位置に設けられており、各前記第２突出部は、各前記短辺部の長手方向の中心の位置に設けられていてもよい。
【発明の効果】
【００２４】
本発明によると、熱やサイズバラつきの影響を受けずに、表示モジュールをフロントキャビネットに固定することができる表示装置を提供することができる。
【図面の簡単な説明】
【００２５】
【図１】表示装置の正面側を示す図である。
【図２】図１中のＡ−Ａ線により切断した表示装置の要部断面図である。
【図３】フロントキャビネットを背面側から見た図である。
【図４】図１中のＢ−Ｂ線又は図３中のＣ−Ｃ線により切断したフロントキャビネット及びベゼルの断面図である。
【図５】フロントキャビネットを背面側から見た図である。
【図６】フロントキャビネットを背面側から見た図である。
【図７】図１中のＢ−Ｂ線により切断した表示装置の要部断面図である。
【図８】図１中のＡ−Ａ線により切断した表示装置の要部断面図である。
【図９】モールドフレームを表示装置の正面側から見た図である。
【図１０】フロントキャビネットを表示装置の背面側から見た図である。
【図１１】図１中のＢ−Ｂ線により切断した表示装置の要部断面図である。
【図１２】図１中のＡ−Ａ線により切断した表示装置の要部断面図である。
【図１３】フロントキャビネットを表示装置の背面側から見た図である。
【図１４】モールドフレームを表示装置の正面側から見た図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
［表示装置の全体構成］
まず、図１及び図２を参照しながら、実施の形態１に係る表示装置の全体構成について説明する。図１は、表示装置の正面側を示す図である。図２は、図１中のＡ−Ａ線により切断した表示装置の要部断面図である。
【００２８】
図１及び図２に示すように、表示装置２は、筐体４と、筐体４の内部に設けられた液晶パネル６（表示パネルを構成する）及びバックライトユニット８と、を備えている。本実施の形態の表示装置２は、エッジライト方式のバックライトユニット８を備える液晶テレビジョン受像機である。ただし、バックライトユニット８はエッジライト方式に限定されるものではない。
【００２９】
筐体４は、フロントキャビネット１０及びリアキャビネット１２が相互に組み合わされることにより構成されている。フロントキャビネット１０は、額縁状に構成されており、液晶パネル６の外周部を覆うようにして配置されている。リアキャビネット１２は、液晶パネル６の背面６ａに対向して配置されている。リアキャビネット１２は、液晶パネル６を配置するための矩形状の開口部１２ａを有している。リアキャビネット１２の下端部には、筐体４を下方より支持するためのスタンド１４が取り付けられている。
【００３０】
バックライトユニット８は、リアキャビネット１２の内面側に支持されている。バックライトユニット８は、液晶パネル６の背面６ａに向けて光を照射するためのものである。バックライトユニット８は、ヒートシンク１６、ＬＥＤバー１８、導光板２０、反射シート２２及び光学シート２４を有している。
【００３１】
ヒートシンク１６は、平板状の放熱部２６と、放熱部２６の一端部から液晶パネル６側に向けて略垂直に延びる取付部２８と、を有している。すなわち、ヒートシンク１６の断面形状は、略Ｌ字状である。放熱部２６は、ネジ（図示せず）によりリアキャビネット１２の内面側に取り付けられている。取付部２８は、導光板２０の四周縁部２０ａ〜２０ｄのうち、短手方向の一周縁部２０ｂに対応して配置されている。なお、ヒートシンク１６は、熱伝導性の高い金属、例えばアルミニウム等で形成されている。
【００３２】
ＬＥＤバー１８は、配線基板３０及び複数のＬＥＤ３２（複数のＬＥＤ３２の各々は光源を構成する）を有している。配線基板３０は、長尺状の板状に構成されている。配線基板３０上には、複数のＬＥＤ３２がその長手方向に沿って一列に且つ間隔を置いて実装されている。複数のＬＥＤ３２の各々は、例えばチップ型のＬＥＤである。配線基板３０は、熱伝導性を有する両面テープ（図示せず）によりヒートシンク１６の取付部２８に取り付けられている。なお、配線基板３０は、熱伝導性の高い金属、例えばアルミニウム等で形成されている。
【００３３】
導光板２０は矩形状に構成され、例えばゴム材等で形成されたクッション部材３４を介して、ヒートシンク１６の放熱部２６に支持されている。なお、クッション部材３４は、導光板２０の外周部に対応して配置されている。導光板２０の主面２０ｅは、液晶パネル６の背面６ａに対向して配置されている。導光板２０の側面２０ｆは、複数のＬＥＤ３２の各々に対向して配置されている。なお、導光板２０は、例えばアクリル樹脂等で構成されている。
【００３４】
反射シート２２は、導光板２０の背面２０ｇ（すなわち、主面２０ｅとは反対側の面）を覆うようにして配置されている。反射シート２２は、導光板２０の側面２０ｆから入射した光を主面２０ｅに向けて反射する光学的機能を有している。
【００３５】
光学シート２４は、拡散シート３６及びレンズシート３８を含んでいる。これら拡散シート３６及びレンズシート３８は、相互に重ね合わされた状態で、導光板２０の主面２０ｅを覆うようにして配置されている。拡散シート３６は、導光板２０の主面２０ｅから出射した光を拡散する光学的機能を有している。レンズシート３８は、拡散シート３６により拡散された光を液晶パネル６の背面６ａに導く光学的機能を有している。
【００３６】
リアキャビネット１２の開口部１２ａには、液晶パネル６の四周縁部をその背面６ａ側より支持するためのモールドフレーム４０がネジ（図示せず）により取り付けられている。本実施の形態では、モールドフレーム４０は、枠状に構成されている。モールドフレーム４０の裏面（すなわち、導光板２０側における面）には第１のリブ部４２が設けられ、モールドフレーム４０の表面（すなわち、液晶パネル６側における面）には第２のリブ部４４が設けられている。
【００３７】
第１のリブ部４２は、導光板２０の主面２０ｅに向けて突出している。第１のリブ部４２は、モールドフレーム４０と導光板２０の四周縁部２０ａ〜２０ｄとの間に空間４６を形成するためのものである。この空間４６には、拡散シート３６及びレンズシート３８の各々の四周縁部が配置される。本実施の形態では、導光板２０の三周縁部２０ｂ〜２０ｄの各々に対応するモールドフレーム４０の部位では、第１のリブ部４２は、三周縁部２０ｂ〜２０ｄの各々に沿って連続的に導光板２０の主面２０ｅに接触している。さらに、スタンド１４に最も近い導光板２０の一周縁部２０ａに対応するモールドフレーム４０の部位４０ａ（以下、「支持部４０ａ」という）では、第１のリブ部４２（リブ部を構成する）は、導光板２０の一周縁部２０ａに沿って不連続に導光板２０の主面２０ｅに接触している。支持部４０ａに設けられた第１のリブ部４２の具体的な構成については後述する。
【００３８】
第２のリブ部４４は、ベゼル５０（後述する）に向けて突出している。第２のリブ部４４は、モールドフレーム４０とベゼル５０との間に空間４８を形成するためのものである。この空間４８には、液晶パネル６の四周縁部が配置される。
【００３９】
液晶パネル６は矩形状に構成され、その四周縁部は、モールドフレーム４０の内周部（すなわち、モールドフレーム４０の第２のリブ部４４よりも内側の部位）に支持されている。液晶パネル６の背面６ａにバックライトユニット８からの光が照射されることにより、液晶パネル６に画像が表示される。液晶パネル６の正面６ｂ（すなわち、液晶パネル６の背面６ａとは反対側の面）側における四周縁部は、ベゼル５０によって覆われている。ベゼル５０は、例えば額縁状に構成されており、ネジ（図示せず）によりモールドフレーム４０に固定されている。これにより、液晶パネル６の四周縁部は、ベゼル５０とモールドフレーム４０との間に挟持される。
【００４０】
なお、フロントキャビネット１０は、ベゼル５０及びモールドフレーム４０を覆うようにして、ネジ（図示せず）によりリアキャビネット１２に取り付けられている。
【００４１】
［フロントキャビネット１０とベゼル５０との取り付け構造］
次に、図３及び図４をも参照して、フロントキャビネット１０とベゼル５０との取り付け構造について説明する。以下の説明では、液晶パネル６と、ベゼル５０と、モールドフレーム４０とを合わせて表示モジュールという。
【００４２】
図３は、図１の周縁部２０ｂにおいて長尺方向のほぼ中央に位置する中央部２０ｂｃにおいて、フロントキャビネット１０を背面側から見た図である。図４は、図１中のＢ−Ｂ線又は図３中のＣ−Ｃ線により切断したフロントキャビネット１０及びベゼル５０の断面図である。
【００４３】
フロントキャビネット１０には、表示モジュールに向けて突出するリブ部１３Ａが設けられている。リブ部１３Ａは、フロントキャビネット１０の長辺方向（Ｙ方向）に延びるリブ１０Ａと、フロントキャビネット１０の短辺方向（Ｘ方向）に延びるリブ１０Ｂとを有する。また、ベゼル５０には、リブ部１３Ａと対向する位置に、リブ部１３Ａが嵌め合わされる孔１１Ａが形成されている。孔１１Ａの形状は、例えば、円形である。
【００４４】
図３及び図４に示すように、リブ１０ＡのＹ方向の幅と、孔１１ＡのＹ方向の幅とはほぼ同じである。このため、孔１１Ａにより、フロントキャビネット１０のＹ方向の移動が規制される。一方、図３及び図２に示すように、リブ１０ＢのＸ方向の幅は、孔１１ＡのＸ方向の幅よりも小さい。このため、フロントキャビネット１０はＸ方向に遊びを有する。つまり、フロントキャビネット１０は、中央部２０ｂｃにおいてＸ方向にある程度、移動可能である。なお、リブ１０Ｂは、リブ１０Ａを補強するためにリブ部１３Ａに設けられているが、必ずしもリブ部１３Ａに設けられていなくてもよい。
【００４５】
図１の周縁部２０ｃの長尺方向のほぼ中央に位置する中央部２０ｃｃにおいても、フロントキャビネット１０とベゼル５０とは、図３に示したのと同様の構成を有する。
【００４６】
また、図１の周縁部２０ａの長尺方向のほぼ中央に位置する中央部２０ａｃと、周縁部２０ｄの長尺方向のほぼ中央に位置する中央部２０ｄｃとには、図５に示すようにフロントキャビネット１０に、リブ部１３Ｂが形成されている。また、ベゼル５０には、リブ部１３Ｂと対向する位置に、リブ部１３Ｂが嵌め合わされる孔１１Ａが形成されている。リブ部１３Ｂは、Ｘ方向に伸びるリブ１０Ａと、Ｙ方向に伸びるリブ１０Ｂとを有する。リブ１０ＡのＸ方向の幅と、孔１１ＡのＸ方向の幅とはほぼ同じである。このため、孔１１Ａによりフロントキャビネット１０のＸ方向の移動が規制される。一方、リブ１０ＢのＹ方向の幅は、孔１１ＡのＹ方向の幅より小さい。このため、フロントキャビネット１０はＹ方向に遊びを有する。つまり、フロントキャビネット１０は、中央部２０ａｃ及び中央部２０ｄｃにおいてＹ方向にある程度、移動可能である。
【００４７】
［効果］
以上説明したように、本実施の形態によると、フロントキャビネット１０のコーナー部分を除く位置で、表示モジュールのフロントキャビネット１０に対する移動が規制される。このため、フロントキャビネット１０又は表示モジュールが熱により膨張又は収縮したとしても、リブ部１３Ａ又はリブ部１３Ｂからコーナー部に向けてこれらが膨張又は収縮するため、リブ部１３Ａ付近及びリブ部１３Ｂ付近では、膨張又は収縮の影響を受けにくい。同様にサイズバラつきの影響も受けにくい。よって、熱やサイズバラつきの影響を受けずに、表示モジュールをフロントキャビネット１０に固定することができる。
【００４８】
なお、中央部２０ｂｃ及び中央部２０ｃｃに配置されたリブ部１３Ａによっては、Ｘ方向の移動は規制されない。このため、フロントキャビネット１０又は表示モジュールがＸ方向に膨張又は収縮したり、Ｘ方向にサイズがばらついたりしたとしても、リブ部１３Ａに過大な力はかからない。
【００４９】
また、中央部２０ａｃ及び中央部２０ｄｃに配置されたリブ部１３Ｂによっては、Ｙ方向の移動は規制されない。このため、フロントキャビネット１０又は表示モジュールがＹ方向に膨張又は収縮したり、Ｙ方向にサイズがばらついたりしたとしても、リブ部１３Ｂに過大な力はかからない。
【００５０】
（実施の形態２）
実施の形態２に係る表示装置は、実施の形態１と比べ、ベゼル５０に設けられた孔の形状が異なる。それ以外の構成は実施の形態１と同様である。
【００５１】
図６は、図１の中央部２０ｂｃにおいて、フロントキャビネット１０を背面側から見た図である。
【００５２】
フロントキャビネット１０には、実施の形態１と同様にリブ部１３Ａが形成されている。ベゼル５０には、リブ部１３Ａに対向する位置に、リブ部１３Ａが嵌め合わされる孔１１Ｂが形成されている。孔１１Ｂの形状は、例えば、四角形である。
【００５３】
リブ１０ＡのＹ方向の幅と、孔１１ＢのＹ方向の幅とはほぼ同じである。このため、孔１１Ｂにより、フロントキャビネット１０のＹ方向の移動が規制される。一方、図３及び図２に示すように、リブ１０ＢのＸ方向の幅は、孔１１ＢのＸ方向の幅よりも小さい。このため、フロントキャビネット１０はＸ方向に遊びを有する。
【００５４】
なお、中央部２０ｃｃにおいても、フロントキャビネット１０とベゼル５０とは、図６に示したのと同様の構成を有する。
【００５５】
また、中央部２０ａｃ及び中央部２０ｄｃにおける、フロントキャビネット１０とベゼル５０との構成は、図５に示す構成において、孔１１Ａの代わりに孔１１Ｂを用いたものである。
【００５６】
このような構成により、実施の形態１と同様の効果を奏することができる。
【００５７】
（実施の形態３）
実施の形態１及び２では、ベゼル５０に孔が設けられていた。実施の形態３では、モールドフレーム４０に凹部が設けられている表示装置について説明する。
【００５８】
図７は、図１中のＢ−Ｂ線により切断した表示装置２の要部断面図であり、フロントキャビネット１０、ベゼル５０及びモールドフレーム４０の断面のみを示している。図８は、図１中のＡ−Ａ線により切断した表示装置２の要部断面図であり、フロントキャビネット１０、ベゼル５０及びモールドフレーム４０の断面のみを示している。図９は、中央部２０ｂｃにおけるモールドフレーム４０を表示装置２の正面側から見た図である。図１０は、中央部２０ｂｃにおけるフロントキャビネット１０を表示装置２の背面側から見た図である。
【００５９】
つまり、フロントキャビネット１０には、実施の形態１及び２と同様に、リブ部１３Ａが設けられている。モールドフレーム４０には、リブ部１３Ａと対向する位置に、リブ部１３Ａが嵌め合わされる円筒状の凹部１５が形成されている。
【００６０】
図７、図９及び図１０に示すように、リブ１０ＡのＹ方向の幅と、凹部１５のＹ方向の幅とはほぼ同じである。このため、凹部１５により、フロントキャビネット１０のＹ方向の移動が規制される。一方、図８〜図１０に示すように、リブ１０ＢのＸ方向の幅は、凹部１５のＸ方向の幅よりも小さい。このため、フロントキャビネット１０はＸ方向に遊びを有する。つまり、フロントキャビネット１０は、中央部２０ｂｃにおいてＸ方向にある程度、移動可能である。
【００６１】
図１の中央部２０ｃｃにおいても、フロントキャビネット１０とモールドフレーム４０とは、図７〜図１０に示したのと同様の構成を有する。
【００６２】
また、図１の中央部２０ａｃ及び中央部２０ｄｃにおいても、フロントキャビネット１０とモールドフレーム４０とは、図７〜図１０に示したのと同様の構成を有する。ただし、リブ１０Ａ及びリブ１０Ｂの向きが異なる。つまり、リブ１０Ａの長尺方向がＸ方向と等しくなるようにリブ１０Ａが形成され、リブ１０Ｂの長尺方向がＹ方向と等しくなるようにリブ１０Ｂが形成される。これにより、中央部２０ａｃ及び中央部２０ｄｃにおいて、フロントキャビネット１０のＸ方向の移動が規制され、フロントキャビネット１０はＹ方向に遊びを有する。
【００６３】
このような構成により、実施の形態１と同様の効果を奏することができる。
【００６４】
（実施の形態４）
実施の形態３では、フロントキャビネット１０にリブ部を設け、モールドフレーム４０に凹部を設ける構成とした。実施の形態４では、モールドフレーム４０にリブ部を設け、フロントキャビネット１０に凹部を設けた表示装置について説明する。
【００６５】
図１１は、図１中のＢ−Ｂ線により切断した表示装置２の要部断面図であり、フロントキャビネット１０、ベゼル５０及びモールドフレーム４０の断面のみを示している。図１２は、図１中のＡ−Ａ線により切断した表示装置２の要部断面図であり、フロントキャビネット１０、ベゼル５０及びモールドフレーム４０の断面のみを示している。図１３は、中央部２０ｂｃにおけるフロントキャビネット１０を表示装置２の背面側から見た図である。図１４は、中央部２０ｂｃにおけるモールドフレーム４０を表示装置２の正面側から見た図である。
【００６６】
つまり、フロントキャビネット１０には、円筒状の凹部１９が形成されている。モールドフレーム４０には、凹部１９に嵌め合わされるリブ部１７が形成されている。リブ部１７には、Ｙ方向に伸びるリブ１７Ａと、Ｘ方向に伸びるリブ１７Ｂとが形成されている。
【００６７】
図１１、図１３及び図１４に示すように、リブ１７ＡのＹ方向の幅と、凹部１９のＹ方向の幅とはほぼ同じである。このため、リブ部１７により、フロントキャビネット１０のＹ方向の移動が規制される。一方、図１２〜図１４に示すように、リブ１７ＢのＸ方向の幅は、凹部１９のＸ方向の幅よりも小さい。このため、フロントキャビネット１０はＸ方向に遊びを有する。つまり、フロントキャビネット１０は、中央部２０ｂｃにおいてＸ方向にある程度、移動可能である。
【００６８】
図１の中央部２０ｃｃにおいても、フロントキャビネット１０とモールドフレーム４０とは、図１１〜図１４に示したのと同様の構成を有する。
【００６９】
また、図１の中央部２０ａｃ及び中央部２０ｄｃにおいても、フロントキャビネット１０とモールドフレーム４０とは、図１１〜図１４に示したのと同様の構成を有する。ただし、リブ１７Ａ及びリブ１７Ｂの向きが異なる。つまり、リブ１７Ａの長尺方向がＸ方向と等しくなるようにリブ１７Ａが形成され、リブ１７Ｂの長尺方向がＹ方向と等しくなるようにリブ１７Ｂが形成される。これにより、中央部２０ａｃ及び中央部２０ｄｃにおいて、フロントキャビネット１０のＸ方向の移動が規制され、フロントキャビネット１０はＹ方向に遊びを有する。
【００７０】
このような構成により、実施の形態１と同様の効果を奏することができる。
【００７１】
以上、本発明の実施の形態に係る表示装置について説明したが、本発明は、この実施の形態に限定されるものではない。
【００７２】
実施の形態１〜４では、モールドフレーム４０の移動を規制するために、リブ部、孔又は凹部を、中央部２０ａｃ、２０ｂｃ、２０ｃｃ及び２０ｄｃに設けたが、リブ部等の設置位置はこれらの位置に限定されるものではなく、フロントキャビネット１０のコーナー部分を除く位置であればそれ以外の位置であってもよい。なお、周縁部２０ａ及び周縁部２０ｄにそれぞれ設けられるリブ部等は、周縁部２０ａ及び周縁部２０ｄの端部から同一距離の位置に設けられるのが望ましい。また、周縁部２０ｂ及び周縁部２０ｃにそれぞれ設けられるリブ部等は、周縁部２０ｂ及び周縁部２０ｃの端部から同一距離の位置に設けられるのが望ましい。
【００７３】
また、実施の形態３及び実施の形態４に示した凹部の形状は円筒状に限定されるものではなく、矩形状であってもよい。また、凹部の代わりに孔をモールドフレーム４０又はフロントキャビネット１０に設けてもよい。
【００７４】
さらに、上記実施の形態を組み合わせるとしてもよい。
【産業上の利用可能性】
【００７５】
本発明は再生装置として、例えば、テレビ放送を再生するテレビなどに適用できる。
【符号の説明】
【００７６】
２  表示装置
４  筐体
６  液晶パネル
６ａ  背面
６ｂ  正面
８  バックライトユニット
１０  フロントキャビネット
１０Ａ，１０Ｂ，１７Ａ，１７Ｂ  リブ
１１Ａ，１１Ｂ  孔
１２  リアキャビネット
１２ａ  開口部
１３Ａ，１３Ｂ，１７  リブ部
１４  スタンド
１５，１９  凹部
１６  ヒートシンク
１８  ＬＥＤバー
２０  導光板
２０ａ，２０ｂ，２０ｃ，２０ｄ  周縁部
２０ａｃ，２０ｂｃ，２０ｃｃ，２０ｄｃ  中央部
２０ｅ  主面
２０ｆ  側面
２０ｇ  背面
２２  反射シート
２４  光学シート
２６  放熱部
２８  取付部
３０  配線基板
３２  ＬＥＤ
３４  クッション部材
３６  拡散シート
３８  レンズシート
４０  モールドフレーム
４０ａ，４０Ａａ，４０Ｂａ  支持部
４２  第１のリブ部
４４  第２のリブ部
４６，４８  空間
５０  ベゼル
【図１】
2014186053.tif 000003
【図２】
2014186053.tif 000004
【図３】
2014186053.tif 000005
【図４】
2014186053.tif 000006
【図５】
2014186053.tif 000007
【図６】
2014186053.tif 000008
【図７】
2014186053.tif 000009
【図８】
2014186053.tif 000010
【図９】
2014186053.tif 000011
【図１０】
2014186053.tif 000012
【図１１】
2014186053.tif 000013
【図１２】
2014186053.tif 000014
【図１３】
2014186053.tif 000015
【図１４】
2014186053.tif 000016